(57)【特許請求の範囲】
【請求項１】
第１及び第２薬液を混合して得られる生体接着剤を生体に塗布する生体接着剤噴霧ノズルにおいて、
シリンジ等の薬液供給部から前記第１及び第２の薬液を供給されて前記生体に向けて前記第１及び第２の薬液を吐出する第１及び第２の薬液吐出口と、
前記第１及び第２の薬液吐出口の内側に同軸状に設けられた第１及び第２の内側ガス吐出口と、
前記第１及び第２の薬液吐出口の外側に同軸状に設けられた第１及び第２の外側ガス吐出口と、を具備したことを特徴とする生体接着剤噴霧ノズル。
【請求項２】
前記第１及び第２の薬液吐出口は、前記第１及び第２の内側及び外側ガス吐出口より前記生体側へ突出していることを特徴とする請求項１記載の生体接着剤噴霧ノズル。
【請求項３】
第１及び第２薬液を混合して得られる生体接着剤を生体に塗布する生体接着剤噴霧ノズルにおいて、
シリンジ等の薬液供給部から前記第１及び第２の薬液を供給されて前記生体に向けて前記第１及び第２の薬液を吐出する第１及び第２の薬液吐出口と、
前記第１及び第２の薬液吐出口の内側に同軸状に設けられた第１及び第２の内側ガス吐出口と、
前記第１及び第２の薬液吐出口の外側に同軸状に設けられた第１及び第２の外側ガス吐出口と、
シリンジ等の薬液供給部から前記第１又は第２の薬液を供給されて前記生体に向けて前記第１又は第２の薬液を吐出する第３の薬液吐出口と、
前記第３の薬液吐出口の内側に同軸状に設けられた第３の内側ガス吐出口と、
前記第３の薬液吐出口の外側に同軸状に設けられた第３の外側ガス吐出口と、を具備したことを特徴とする生体接着剤噴霧ノズル。
【発明の詳細な説明】
【０００１】
【発明の属する技術分野】
本発明は、２成分の薬液を混合して得られる生体接着剤を生体に塗布する器具に用いられるノズルに関し、特に、切開組織等への止血用あるいは縫合代用となる２成分の薬液をガスの噴射を利用して霧化し、混合された生体接着剤を生体に塗布するするスプレータイプの生体接着剤噴霧ノズルに関する。
【０００２】
【従来の技術】
２成分の薬液、例えば、フィブリノーゲン含有溶液とトロンビン含有溶液とを混合して用いる生体接着剤は、切開組織等の患部の止血、縫合の代用あるいは補助の目的で広く使用され、そのための専用塗布器具も広く普及している。
【０００３】
例えば、特許２５５５５４９は、一対の薬液を噴霧し混合する生体接着剤噴霧ノズルであって、薬液を吐出する薬液吐出口から外側に同軸状に配された無菌ガス噴射ノズルを備えたノズルが開示されている。
【０００４】
【発明が解決しようとする課題】
しかし、従来の生体接着剤噴霧ノズルによると、薬液吐出部に液だれが生じ、２つの薬液ノズルの間隔が非常に狭いことからこれに他の薬液が接触して固化するため、ノズル先端部に固化物が形成され、噴霧状態が不十分となるおそれがあるという問題がある。また、薬液の固化が進むと薬液吐出部が詰まってしまい、薬液が吐出されないおそれもあるという問題がある。
【０００５】
従って、本発明の目的は、薬液吐出部における薬剤の固化を防止するとともに、薬液吐出部の詰まりを防止した生体接着剤噴霧ノズルを提供することにある。
【０００６】
【課題を解決するための手段】
本発明は、前記目的を達成するために、請求項１記載の発明は、第１及び第２薬液を混合して得られる生体接着剤を生体に塗布する生体接着剤噴霧ノズルにおいて、シリンジ等の薬液供給部から前記第１及び第２の薬液を供給されて前記生体に向けて前記第１及び第２の薬液を吐出する第１及び第２の薬液吐出口と、前記第１及び第２の薬液吐出口の内側に同軸状に設けられた第１及び第２の内側ガス吐出口と、前記第１及び第２の薬液吐出口の外側に同軸状に設けられた第１及び第２の外側ガス吐出口と、を具備したことを特徴とする生体接着剤噴霧ノズルを提供する。
【０００７】
請求項２記載の発明は、前記第１及び第２の薬液吐出口は、前記第１及び第２の内側及び外側ガス吐出口より前記生体側へ突出していることを特徴とする生体接着剤噴霧ノズルを提供する。
【０００８】
請求項３記載の発明は、第１及び第２薬液を混合して得られる生体接着剤を生体に塗布する生体接着剤噴霧ノズルにおいて、シリンジ等の薬液供給部から前記第１及び第２の薬液を供給されて前記生体に向けて前記第１及び第２の薬液を吐出する第１及び第２の薬液吐出口と、前記第１及び第２の薬液吐出口の内側に同軸状に設けられた第１及び第２の内側ガス吐出口と、前記第１及び第２の薬液吐出口の外側に同軸状に設けられた第１及び第２の外側ガス吐出口と、シリンジ等の薬液供給部から前記第１又は第２の薬液を供給されて前記生体に向けて前記第１又は第２の薬液を吐出する第３の薬液吐出口と、前記第３の薬液吐出口の内側に同軸状に設けられた第３の内側ガス吐出口と、前記第３の薬液吐出口の外側に同軸状に設けられた第３の外側ガス吐出口と、を具備したことを特徴とする生体接着剤噴霧ノズルを提供する。
【０００９】
【発明の実施の形態】
本発明による生体接着剤噴霧ノズルの実施の形態について、図面を参照しながら説明する。
【００１０】
図１は、本発明による生体接着剤噴霧ノズルの先端部の斜視図、図２は、生体接着剤噴霧ノズルの拡大正面図、図３は、図２のＡ‐Ａ線に沿う断面図を示す。
【００１１】
本発明による生体接着剤噴霧ノズル１０は、第１の薬液を供給する第１薬液供給管２０、第１薬液供給管２０の内側に間隔をあけ同軸状に配置されてガスを供給する第１内側ガス供給管４０、第１薬液供給管２０の外側に間隔をあけ同軸状に配置されてガスを供給する第１外側ガス供給管６０が形成されている。
【００１２】
また、第２の薬液を供給する第２薬液供給管３０、第２薬液供給管３０の内側に間隔をあけ同軸状に配置されてガスを供給する第２内側ガス供給管５０、第２薬液供給管３０の外側に間隔をあけ同軸状に配置されてガスを供給する第２外側ガス供給管７０が形成されている。
【００１３】
そして、第１外側ガス供給管６０及び第２外側ガス供給管７０は、外筒管８０によりそれら外側ガス供給管６０、７０が固定され、一体化される。なお、第１内側ガス供給管４０、第１内側ガス供給管５０、第２外側ガス供給管６０及び第２外側ガス供給管７０は、同一の無菌ガスを供給するものである。
【００１４】
第１薬液供給管２０は、先端の第１薬液吐出口２３から第１薬液、例えばフィブリノーゲン含有溶液を吐出する。第１薬液供給管２０は、樹脂又はステンレス鋼により形成された管状体である。その管状体の内周面２１と後述する内側ガス供給管４０の外周面４１との間の空間は、第１薬液が通過する第１薬液通過部２２となる。第１薬液吐出口２３は、後述する第１外側ガス供給管６０の外側ガス噴射口６３から噴霧される生体側に直線的に突出している。
【００１５】
第１外側ガス供給管６０は、第１薬液供給管２０の第１薬液通過部２２を流れてきた第１の薬液を霧状に噴霧するためのガスを噴射する第１外側ガス噴射口６３が形成される。第１外側ガス供給管６０は、樹脂又はステンレス鋼により形成された管状体である。その管状体の内周面６１と第１薬液供給管２０の外周面２４との間の空間は、ガスが流れる外側ガス通過部６２となる。第１外側ガス噴射口６３は、第１薬液吐出口２３より吐出する薬液を霧状にするためのガスを後方から噴射する必要性から、第１薬液吐出口２３から後退して形成される。
【００１６】
第１内側ガス供給管４０は、主に第１薬液吐出口２３に発生する液だれや接着剤硬化物を吹き飛ばすためのガスを第１内側ガス噴射口４４から噴射するものであり、樹脂又はステンレス鋼により形成された管状体である。その管状体の中空部は、ガスが流れる第１内側ガス通過部４３となる。第１内側ガス供給管４０の第１内側ガス噴射口４４は、前記したように第１薬液吐出口２３に発生する液だれなどを吹き飛ばすために、第１薬液吐出口２３からやや後退して形成される。
【００１７】
第２薬液供給管３０は、第２薬液吐出口３３から第２薬液、例えば、トロンビン含有溶液を吐出する。第２薬液供給管３０は、樹脂又はステンレス鋼により形成された管状体である。その管状体の内周面３１と後述する第２内側ガス供給管５０の外周面５１との間の空間は、第２薬液が通過する第２薬液通過部３２となる。第２薬液吐出口３３は、後述する第２外側ガス供給管７０の第２外側ガス噴射口７３から噴霧される生体側に直線的に突出している。
【００１８】
第２外側ガス供給管７０は、第２薬液供給管３０の第２薬液通過部３２を流れてきた第２の薬液を霧状に噴霧するためのガスを噴射する第２外側ガス噴射口７３を有する。第２外側ガス供給管７０は、樹脂又はステンレス鋼により形成された管状体である。その管状体の内周面７１と第２薬液供給管３０の外周面３４との間の空間は、ガスが流れる第２外側ガス通過部７２となる。第２外側ガス噴射口７３は、第２薬液吐出口３３より吐出する薬液を霧状にするためのガスを後方から噴射する必要性から、第２薬液吐出口３３から後退して形成される。
【００１９】
第２内側ガス供給管５０は、主に第２薬液吐出口３３に発生する液だれや接着剤硬化物を吹き飛ばすためのガスを第２内側ガス噴射口５４から噴射するものであり、樹脂又はステンレス鋼により形成された管状体である。その管状体の中空部は、ガスが流れる第２内側ガス通過部５３となる。第２内側ガス供給管５０の第２内側ガス噴射口５４は、前記したように第２薬液吐出口３３に発生する液だれなどを吹き飛ばすために、第２薬液吐出口３３から後退して形成される。
【００２０】
図４は、本発明のノズルが固定された基部の説明図である。外筒管８０の端部８０ａは、ノズル基９０の接続部９０ａと接続する。第１薬液供給管２０及び第２薬液供給管３０の各端部２０ａ、３０ａを各々の薬液ノズル基９１、９２に接続し、生体接着剤となる２成分の薬液を別個に収容した別々のシリンジ（図示せず）をその薬液ノズル基９１、９２を介して連結して、一体化したプランジャー（図示せず）を押圧して２薬液を同時吐出するようにしている。
【００２１】
ガスの供給は、ガス供給装置よりフィルター（図示せず）を通した無菌ガスを、ガス導入口９３よりノズル基９０の中空部９８に導入し、ガス分岐部９４で一部を内側ガス供給管４０（５０）に、一部を外側ガス通過部６２、７２に供給している。以下ガスの供給について説明する。
【００２２】
ガス分岐部９４は、第１（第２）内側ガス供給管４０（５０）の端部４０ｂ（５０ｂ）がガス分岐部９４の内側ガス供給管固定部９４ａに固定され、更にガス分岐部カバー９４ｂ内に導かれて第１（第２）内側ガス供給管４０（５０）の端部の開口部４０ａ、（５０ａ）がガス導入口９３の近くまで延びている。
【００２３】
また、第１内側ガス供給管４０は、第１薬液供給管２０に設けられた内側ガス供給管挿入部９５から第１薬液供給管２０の内部に挿入されており、第１内側ガス供給管４０が挿入された内側ガス供給管挿入部９５は薬液漏れ防止のため接着され密封されている。なお、第２内側ガス供給管５０は、同様に内側ガス供給管挿入部から第２薬液供給管３０の内部に挿入されているが、図４では、見えないので省略している。
【００２４】
ガス導入口９３から導入されたガスは、ノズル基９０の中空部９８中に充満し、中空部９８内のガス圧が高くなる。すると、ガス圧を下げるように外筒管８０との接続部９０ａに設けられた隙間９９から外側ガス通過部６２（７２）にガスが流れる。また、ガス導入口９３の近くにまで延びている第１（第２）内側ガス供給管４０（５０）の端部の開口部４０ａ、（５０ａ）から第１（第２）内側ガス供給管４０（５０）にガスが流れる。
【００２５】
本発明の生体接着剤噴霧ノズル１０による接着剤の噴霧手段を説明すると、第１薬液供給管２０の端部２０ａが接続された薬液ノズル基９１に連結したシリンジ（図示せず）から供給される薬液が、第１薬液供給管２０の第１薬液通過部２２を通って、先端の第１薬液吐出口２３から吐出され、同時に第２薬液供給管３０の端部３０ａが接続された薬液ノズル基９２に連結したシリンジ（図示せず）から供給される薬液が、第２薬液供給管３０の第２薬液通過部３２を通って、先端の第２薬液吐出口３３から吐出される。ノズル基９０より供給される無菌ガスが第１外側ガス通過部６２、第２外側ガス通過部７２を通って第１外側ガス噴射口６３、第２外側ガス噴射口７３からそれぞれ噴射され、吐出された第１薬液及び第２薬液を霧化混合して噴霧する。
【００２６】
このとき、ノズル基９０で分岐されたガスの一部が、第１内側ガス通過部４３、第２内側ガス通過部５３を通って第１内側ガス噴射口４４、第２内側ガス噴射口５４から噴射され、第１及び第２薬液吐出口２３、３３の先端に発生する液だれや接着剤硬化物を吹き飛ばすようになっている。このため、第１及び第２薬液吐出口２２、３３の詰まりを防止することができる。
【００２７】
図５は、本発明の第２実施例である生体接着剤噴霧ノズルの先端部の斜視図、図６は、図５に示す生体接着剤噴霧ノズルの拡大正面図、図７は、図６のＢ−Ｂ線に沿う断面図である。図中、図１から図３に示す符号と同じ符号は、同一の部位を示す。
【００２８】
本発明の生体接着剤噴霧ノズル１００は、第１の薬液を供給する第１薬液供給管２０、第１薬液供給管２０の内側に間隔あけて同軸状に配置されてガスを供給する第１内側ガス供給管４０、第１薬液供給管２０の外側に間隔をあけ同軸状に配置されてガスを供給する第１外側ガス供給部６０ａが形成されている。また、第２の薬液を供給する第２薬液供給管３０、第２薬液供給管３０の内側に間隔をあけ同軸状に配置されてガスを供給する第２内側ガス供給管５０、第２薬液供給管３０の外側に間隔をあけて同軸状に配置されてガスを供給する第２外側ガス供給部７０ａが形成されている。
【００２９】
更に、第３の薬液を供給する第３薬液供給管１２０、第３薬液供給管１２０の内側に間隔をあけ同軸状に配置されてガスを供給する第３内側ガス供給管１４０、第３薬液供給部１２０の外側に間隔をあけ同軸状に配置されてガスを供給する第３外側ガス供給部１６０ａが形成されている。
【００３０】
外側ガス供給部６０ａ、７０ａ、１６０ａは、第１薬液供給管２０、第２薬液供給管３０及び第３薬液供給管１２０を固定し一体化するために覆われた外筒管８０の長さ方向に形成された孔の内周面６１、７１、１６１と孔に挿入された薬液ノズルの外周面２４、３４、１２４との間に形成された空間６２、７２、１６２をガスが通過する。
【００３１】
使用に際し、当初は、第１薬液供給管２０及び第２薬液供給管３０を使用して生体接着剤を噴霧し、第３薬液供給部１２０は使用しない。しかし、フィブリノーゲン含有溶液は、噴霧のためのガスの風などにより乾燥しやすく、このフィブリノーゲン含有溶液の吐出口となる第１薬液供給管２０の第１薬液吐出口２３には、フィブリノーゲン含有溶液の乾燥による硬化が発生しやすいため、第１薬液吐出口２３が詰まり、あるいは、吐出量が減少してくるおそれがある。そこで、第１薬液吐出口２３の詰まり、あるいは薬液の吐出量の減少が生じた場合に、第１薬液供給管２０の使用を中止し、それまで使用していなかった第３薬液供給管１２０の第３薬液通過部にフィブリノーゲン含有溶液を流れるように適宜の手段で切り替え、第３薬液供給管１２０の第３薬液吐出口１２３からフィブリノーゲン含有溶液を吐出させる。
【００３２】
このように薬液の吐出口を切り替えることで、手術中に薬液吐出口からの薬液吐出量が減少しても、薬液吐出口の洗浄などにより手術の中断をすることなく手術を続けることができる。
【００３３】
【発明の効果】
以上説明したように、本発明による生体接着剤噴霧ノズルによれば、薬液供給管の薬液吐出口から後退した内面に内側ガス噴射口を設けてガスを噴射することとしたため、薬液供給管先端に液だれや接着剤硬化物が付着せず、薬液供給管が詰まることを防止した生体接着剤噴霧ノズルを得ることができる。
【００３４】
また、薬液供給管を３組以上形成した場合には、１の薬液供給管は他の薬液供給管の予備としておくことで、薬液供給管からの薬液吐出量が減少又は詰まりが生じても、予備の薬液供給管を使用することで、手術を中止することなく続行できる。
【図面の簡単な説明】
【図１】  本発明による生体接着剤噴霧ノズルの先端部の斜視図である。
【図２】  生体接着剤噴霧ノズルの拡大正面図である。
【図３】  図２のＡ‐Ａ線に沿う断面図である。
【図４】  本発明のノズルが固定された基部の説明図である。
【図５】  本発明の第２実施例を示す図である。
【図６】  図５に示す生体接着剤噴霧ノズルの拡大正面図である。
【図７】  図６のＢ−Ｂ線に沿う断面図である。
【符号の説明】
１０  生体接着剤噴霧ノズル
２０  第１薬液供給管
２０ａ  第１薬液供給管の端部
２１  第１薬液供給管の内周面
２２  第１薬液通過部
２３  第１薬液吐出口
２４  第１薬液供給管の外周面
３０  第２薬液供給管
３０ａ  第２薬液供給管の端部
３１  第２薬液供給管の内周面
３２  第２薬液通過部
３３  第２薬液吐出口
３４  第２薬液供給管の外周面
４０  第１内側ガス供給管
４０ａ  第１内側ガス供給管端部の開口部
４０ｂ  第１内側ガス供給管端部
４１  第１内側ガス供給管の外周面
４３  第１内側ガス通過部
４４  第１内側ガス噴射口
５０  第２内側ガス供給管
５０ａ  第２内側ガス供給管端部の開口部
５０ｂ  第２内側ガス供給管端部
５１  第２内側ガス供給管の外周面
５３  第２内側ガス通過部
５４  第２内側ガス噴射口
６０  第１外側ガス供給管
６０ａ  第１外側ガス供給部
６１  第１外側ガス供給管の内周面
６２  第１外側ガス通過部
６３  第１外側ガス噴射口
７０  第２外側ガス供給管
７０ａ  第２外側ガス供給部
７１  第２外側ガス供給管の内周面
７２  第２外側ガス通過部
７３  第２外側ガス噴射口
８０  外筒管
８０ａ  外筒管の端部
９０  ノズル基
９０ａ  接続部
９１  薬液ノズル基
９２  薬液ノズル基
９３  ガス導入口
９４  ガス分岐部
９４ａ  内側ガス供給管固定部
９４ｂ  ガス分岐部カバー
９５  内側ガス供給管挿入部
９８  中空部
９９  隙間
１００  生体接着剤噴霧ノズル
１２０  第３薬液供給管
１２１  第３薬液供給管の内周面
１２２  第３薬液通過部
１２３  第３薬液吐出口
１２４  第３薬液供給管の外周面
１４０  第３内側ガス供給管
１４１  第３内側ガス供給管の外周面
１４２  第３内側ガス供給管の内周面
１４３  第３内側ガス通過部
１４４  第３内側ガス噴射口
１６０  第３外側ガス供給管
１６０ａ  第３外側ガス供給部
１６１  第３外側ガス供給管の内周面
１６２  第３外側ガス通過部
１６３  第３外側ガス噴射口
【図１】
0003734441.tif 000002
【図２】
0003734441.tif 000003
【図３】
0003734441.tif 000004
【図４】
0003734441.tif 000005
【図５】
0003734441.tif 000006
【図６】
0003734441.tif 000007
【図７】
0003734441.tif 000008